(57)【要約】【課題】  配管工事が不要で、給水管に容易に取り付けることができ、給水管の外径の変化にも容易に対応して効率的に磁気水を得ることのできる磁気活水器を提供する。【解決手段】  給水管が貫通可能な開口部を有する筐体２と、筐体２内で、互いに吸引し合う、または反発し合う一対の永久磁石３と、筐体２内で、一対の永久磁石３が互いに離間及び近接する方向に、一対の永久磁石３を移動可能に支持する一対の磁石支持枠４とを備える磁気活水器１。給水管の外径が変化しても、一対の磁石支持枠４の移動により、一対の永久磁石３を給水管に密着させ、給水管を流れる水を効率的に磁気水に変化させることができる。一対の磁石支持枠４の各々を、筐体２から取り外し可能とし、筐体２を２つに分割可能に形成し、分割可能な各々の筐体部の各々に、一対の永久磁石３の一方、及び一対の磁石支持枠４の一方を収容することが好適である。【選択図】  図２
2005246148.tif 000002
【特許請求の範囲】
【請求項１】
給水管が貫通可能な開口部を有する筐体と、
該筐体内で、互いに吸引し合う、または反発し合う一対の永久磁石と、
前記筐体内で、前記一対の永久磁石が互いに離間及び近接する方向に、該一対の永久磁石を移動可能に支持する一対の磁石支持枠とを備えることを特徴とする磁気活水器。
【請求項２】
前記一対の磁石支持枠の各々は、前記筐体から取り外し可能であることを特徴とする請求項１記載の磁気活水器。
【請求項３】
前記筐体は、２つに分割可能に形成され、
分割可能な各々の筐体部の各々に、前記一対の永久磁石の一方、及び前記一対の磁石支持枠の一方が収容されることを特徴とする請求項１または２記載の磁気活水器。
【発明の詳細な説明】
【技術分野】
【０００１】
本発明は、磁気活水器に関し、特に、水道水や井戸水等の給水管を通過する水に磁力を与えて活性化し、良質の磁気水を得るための磁気活水器に関する。
【背景技術】
【０００２】
磁場に水を通すと、磁気流体力の作用により水の分子構造が変化し、クラスタが細分化され、保湿、浸透、溶解、洗浄、抗菌、熱伝導率等に優れた磁気水に改質される。この磁気水は、飲用水としてのみならず、調理や食器等の洗浄、入浴にも効果的であり、ペット等の動物や、農産物等の植物の成育を向上させる等の効果もあることが知られている。
【０００３】
この磁気活水器は、例えば、給水路となる内筒の外側に、密閉された磁石収容室を形成した外筒と、磁石収容室に強力な永久磁石を内蔵した一体構造のケースを備え、内筒の両端部を給水管に装着したものである。
【０００４】
給水管の間に設置された磁気活水器は、給水管を流れる水が内筒を通過するときに永久磁石の磁力を受けて活性化されるため、全く動力を必要とすることなく、上述のように、給水を飲料、調理、洗浄等に適した良質の磁気水に連続して改質することができる。
【０００５】
一方、上述のような給水管の間に設置する方式ではなく、給水管をそのまま利用し、給水管の外側から給水管内を流れる水に磁力を与えるように永久磁石を配置した磁気活水器も存在する。
【発明の開示】
【発明が解決しようとする課題】
【０００６】
しかし、上記従来の永久磁石を内蔵する二重構造の磁気活水器は、両端部に給水管を水密に接続する接続構造を設けなければならないため、全体構造が複雑になり、重量が大きく、高価になるという問題があった。また、この装置は一体構造であるため、内蔵されている永久磁石を交換するような保守を行うことが困難であるという問題があった。さらに、給水管の間に配管接続するため、取り付け工事費が高くなり、一旦取り付けた磁気活水器は容易に取り外すことはできない等の問題があった。
【０００７】
一方、給水管の外側に装着する磁気活水器は、簡単に給水管に取り付けることができるという利点があるが、給水管には種々の外径のものが存在するため、外径の変化に対応して効率よく磁気水を得ることは容易ではないという問題があった。
【０００８】
そこで、本発明は、上記従来の磁気活水器等における問題点に鑑みてなされたものであって、配管工事を行うことなく給水管に容易に取り付け、取り外しすることができ、構成部品の取り替え等のメンテナンスが容易で、給水管の外径の変化にも容易に対応して効率的に磁気水を得ることのできる磁気活水器を提供することを目的とする。
【課題を解決するための手段】
【０００９】
上記目的を達成するため、本発明は、磁気活水器であって、給水管が貫通可能な開口部を有する筐体と、該筐体内で、互いに吸引し合う、または反発し合う一対の永久磁石と、前記筐体内で、前記一対の永久磁石が互いに離間及び近接する方向に、該一対の永久磁石を移動可能に支持する一対の磁石支持枠とを備えることを特徴とする。
【００１０】
そして、本発明によれば、一対の磁石支持枠が、一対の永久磁石を、互いに離間及び近接する方向に、移動可能に構成されているため、給水管の外径が変化した場合でも、容易に一対の永久磁石を給水管に密着させることができ、給水管を流れる水を効率的に磁気水に変化させることができる。
【００１１】
上記磁気活水器において、前記一対の磁石支持枠の各々を、前記筐体から取り外し可能とすることができる。これによって、磁気活水器の組み立て、分解を容易に行うことができるとともに、磁石支持枠上に配列させる永久磁石の個数を複数個または奇数個とすることによって、磁極を変化させることができ、Ｓ極とＮ極が対峙するいわゆるＳＮタイプ、及びＳ極同士が対峙するいわゆるＳＳタイプの各々に磁気活水器を容易に切り替えることができる。
【００１２】
また、上記磁気活水器において、前記筐体を、２つに分割可能に形成し、分割可能な各々の筐体部の各々に、前記一対の永久磁石の一方、及び前記一対の磁石支持枠の一方を収容するように構成することができる。これによって、給水管を挟んで両側から２つ割にした筐体を組み合わせることにより、簡単に磁気活水器を給水管に装着することができる。
【発明の効果】
【００１３】
本発明にかかる磁気活水器によれば、配管工事を行うことなく給水管に容易に取り付けることができ、メンテナンスが容易で、給水管の外径の変化にも容易に対応して効率的に磁気水を得ることが可能となる。
【発明を実施するための最良の形態】
【００１４】
図１は、本発明にかかる磁気活水器の一実施の形態を示し、この磁気活水器１は、大別して、筐体２と、筐体２内に設けられた永久磁石３と、永久磁石３を移動可能に支持する磁石支持枠４と、蓋６とを備える。
【００１５】
筐体（２分割した筐体部）２は、アルミ合金等からなり、図３に示すように、Ｕ字状の横断面を有し、両端が解放された樋状に形成される。筐体２の上方には、長手方向に延設された溝部２ａが形成され、一方の溝部２ａには、２つの半割の筐体２を組み合わせるための係合部材５が挿入、固定される。筐体２の両側内壁には、ブラケット２ｂが突設され、ブラケット２ｂには、雌ねじ部２ｃが螺設され、後述する蓋６のねじ穴６ｂに挿通するビス７と螺合する。筐体２の底部には、磁石支持枠４が内壁に衝突した際の衝撃を和らげるためのゴム板２ｄが敷設される。
【００１６】
磁石支持枠４は、軟鉄等からなり、図３（ｃ）に明示されるように、底板４ａと、底板４ａの両端部に長手方向に延設される一対のチャンネル部４ｂと、チャンネル部４ｂの間に介装され、底板４ａに重ねて設けられる上板４ｃとで構成される。この磁石支持枠４は、筐体２の長手方向（矢印Ａ方向）にスライド可能であるとともに、図３（ｃ）の矢印Ｂ方向には、筐体２のブラケット２ｂの先端のストッパ２ｅによって移動が規制される。
【００１７】
永久磁石３は、直方体状に形成され、磁石支持枠４の上板４ｃ上に複数個固定される。永久磁石３は、例えば、ネオジウム磁石等であり、数万ガウス以上の磁力を有する磁石を用いることが好ましい。尚、磁石支持枠４上に配列させる永久磁石３の個数を複数個または奇数個とすることによって、磁極を変化させ、Ｓ極とＮ極を対峙させたり、Ｓ極同士を対峙させたりして、磁気活水器１の用途、使用環境等に応じて切り替えることができる。
【００１８】
図１及び図２に示す蓋６は、半割の筐体２の両端部を塞ぐための部材であって、図４に示すように、板状に形成される。蓋６は、半円状の凹部６ａを備え、図１に示すように、磁気活水器が組み立てられたときに、相手方の蓋６の凹部６ａとで円形の開口部が形成され、給水管を貫通させることができる。蓋６のねじ穴６ｂには、ビス７（図１参照）が挿通し、このビス７が、上述の筐体２の雌ねじ部２ｃとも螺合することにより、蓋６が筐体２に固定される。
【００１９】
次に、上記構成を有する磁気活水器の使用方法について説明する。
【００２０】
まず。図３に示すように、磁石支持枠４の上板４ｃ上に複数（同図では、２×８個）の永久磁石３を配列し、磁石支持枠４を筐体２に挿入する。次に、図４に示した蓋６を筐体２の両端に、図２に示すように、ビス７を介して固定すると、半割の筐体２が形成される。
【００２１】
そして、図１に示すように、給水管８を挟んで両側から半割の筐体２を合わせ、開口部２ｆに給水管８が収容されるようにして係合部材５（図２及び図３参照）を介して２つの筐体２を組み合わせると、給水管８への装着が完了する。この際、図３に示すように、筐体２内において、磁石支持枠４が給水管に接離する方向（矢印Ｂ方向）に移動可能であるため、磁石支持枠４に固着された永久磁石３も給水管８に接離する方向に移動可能となり、給水管８の外径が変化しても、容易に対応することができる。
【００２２】
給水管８から磁気活水器１を取り外す際にも、半割の筐体２の各々を互いに離間する方向に移動させるだけで、係合部材５と筐体２の溝部２ａとの係合が解かれ、容易に取り外すことができる。
【００２３】
また、磁石支持枠４上の永久磁石３の個数を変更したり、永久磁石３を交換する場合には、ビス７を外して蓋６を筐体２から取り外すだけで、磁石支持枠４をスライドさせて筐体２から簡単に抜き取ることができるため、永久磁石３の個数を変更したり、メンテナンス等を容易に行うことができる。
【図面の簡単な説明】
【００２４】
【図１】本発明にかかる磁気活水器の一実施の形態を示す全体斜視図である。
【図２】図１の磁気活水器を２分割した状態を示す斜視図である。
【図３】図１の磁気活水器の半割筐体及び磁石支持枠を示す図であって、（ａ）は正面図、（ｂ）は平面図、（ｃ）は側面図である。
【図４】図１の磁気活水器の蓋を示す図であって、（ａ）は平面図、（ｂ）は一部破断正面図である。
【符号の説明】
【００２５】
１      磁気活水器
２      筐体
２ａ    溝部
２ｂ    ブラケット
２ｃ    雌ねじ部
２ｄ    ゴム板
２ｅ    ストッパ
２ｆ    開口部
３      永久磁石
４      磁石支持枠
４ａ    底板
４ｂ    チャンネル部
４ｃ    上板
５      係合部材
６      蓋
６ａ    凹部
６ｂ    ねじ穴
７      ビス
８      給水管
【図１】
2005246148.tif 000003
【図２】
2005246148.tif 000004
【図３】
2005246148.tif 000005
【図４】
2005246148.tif 000006